(57)【要約】【課題】メダル受皿上のメダルを手で移動させることなく、メダルをメダル受皿上にほぼ均一に蓄えることができる遊技機を提供する。【解決手段】この遊技機１０は、前面パネルに所定幅にわたって形成されたメダル受皿と、メダル受皿のほぼ全幅にわたってほぼ均一にメダルを払い出し可能に形成されたメダル払い出し機構５０とを備えて構成される。メダル払い出し機構５０は、メダルを払い出すメダル払い出し口５６を一端に備えメダル払い出し口５６に向けて下方に傾斜し伸縮自在のメダル払い出し管路５４と、メダル払い出し管路５４の伸縮を駆動する駆動部６０とを備えている。メダル払い出し口５６はメダル払い出し用開口部を介してメダルを払い出す。前面パネルには、メダル払い出し口５６が位置している部分以外のメダル払い出し用開口部を遮蔽する遮蔽部も設けられている。【選択図】  図２
2004167065.tif 000002
【特許請求の範囲】
【請求項１】
メダルを用いる遊技機であって、
筐体と、
前記筐体の前面に位置する前面パネルと、
前記前面パネルに形成され、メダルが投入されるメダル投入口と、
前記前面パネルに所定幅にわたって形成され、払い出されたメダルを貯留するメダル受皿と、
前記メダル受皿のほぼ全幅にわたってほぼ均一にメダルを払い出し可能に形成されたメダル払い出し機構と、を有することを特徴とする遊技機。
【請求項２】
請求項１に記載の遊技機であって、
前記メダル払い出し機構は、メダルを払い出すメダル払い出し口を一端に備え伸縮自在に形成されたメダル払い出し管路を有することを特徴とする遊技機。
【請求項３】
請求項２に記載の遊技機であって、
前記メダル払い出し管路は前記メダル払い出し口に向けて下方に傾斜していることを特徴とする遊技機。
【請求項４】
請求項２または３のいずれかに記載の遊技機であって、
前記メダル払い出し機構は、前記メダル払い出し管路の伸縮を駆動する駆動部をさらに備えることを特徴とする遊技機。
【請求項５】
請求項１ないし４のいずれかに記載の遊技機であって、
前記メダル払い出し機構に対してメダルを送出するホッパをさらに備えることを特徴とする遊技機。
【請求項６】
請求項２ないし５のいずれかに記載の遊技機であって、
前記前面パネルは、前記メダル受皿の付近に形成されたメダル払い出し用開口部を備え、
前記メダル払い出し口は前記メダル払い出し用開口部を介してメダルを払い出し、
前記前面パネルは、前記メダル払い出し口が位置している部分以外の前記メダル払い出し用開口部を遮蔽する遮蔽部をさらに備えている、ことを特徴とする遊技機。
【発明の詳細な説明】
【０００１】
【発明の属する技術分野】
本発明は、メダルを用いる遊技機に関する。
【０００２】
【背景技術および発明が解決しようとする課題】
スロットマシンなどのメダルを用いる遊技機は、入賞などにより払い出されたメダルを蓄えるメダル受皿を備えている。そのようなメダル受皿にはかなり多くのメダルを蓄えることができる。
【０００３】
ところが、そのような遊技機において、大量のメダルが払い出された場合などには、メダル払い出し口の付近にメダルが集積してしまい、メダル受皿の他の領域にはメダルを受け入れる余裕があるにも拘わらず、メダルの払い出し口が塞がれてしまって、エラーを起こすことがある。このようなエラーを防いで順調にメダルが払い出されるようにし、メダルをメダル受皿上にほぼ均一に貯めるために、通常、遊技客はメダル払い出し口付近に溜まるメダルをメダル受皿の他の領域に手で移動させている。
【０００４】
しかし、そのような作業はゲームの進行とは直接関わりがなく、遊技者にとっては煩雑な作業である。また、そのような移動作業においては大量のメダルを扱うため手が汚れる大きな原因となってしまう。
【０００５】
本発明は、上記のような点に鑑みてなされたものであって、その目的は、メダル受皿上のメダルを手で移動させることなく、メダルをメダル受皿上にほぼ均一に蓄えることができる遊技機を提供することにある。
【０００６】
【課題を解決するための手段】
（１）  本発明の遊技機は、メダルを用いる遊技機であって、筐体と、前記筐体の前面に位置する前面パネルと、前記前面パネルに形成され、メダルが投入されるメダル投入口と、前記前面パネルに所定幅にわたって形成され、払い出されたメダルを貯留するメダル受皿と、前記メダル受皿のほぼ全幅にわたってほぼ均一にメダルを払い出し可能に形成されたメダル払い出し機構とを有する。
本発明によれば、メダル払い出し機構が、メダル受皿のほぼ全幅にわたってほぼ均一にメダルを払い出すことができる。したがって、メダル受皿上のメダルを手で移動させることなく、メダルをメダル受皿上にほぼ均一に蓄えることができる。
【０００７】
（２）  なお、前記メダル払い出し機構は、メダルを払い出すメダル払い出し口を一端に備え伸縮自在に形成されたメダル払い出し管路を備えていてもよい。これによって、伸縮自在に形成されたメダル払い出し管路の一端に位置するメダル払い出し口をメダル受皿のほぼ全幅にわたる範囲に移動させて、メダル受皿のほぼ全幅にわたってほぼ均一にメダルを払い出すことができる。
【０００８】
（３）  また、前記メダル払い出し管路は前記メダル払い出し口に向けて下方に傾斜していてもよい。このように、メダル払い出し管路がメダル払い出し口に向けて下方に傾斜していることによって、メダル払い出し管路内のメダルを動力によることなく重力によって移動させてメダル払い出し口に移動させることが可能となる。
【０００９】
（４）  あるいは、前記メダル払い出し機構は、前記メダル払い出し管路の伸縮を駆動する駆動部をさらに備えていてもよい。これによって、メダル払い出し管路を駆動部によって自動的に伸縮させて、メダル受皿のほぼ全幅にわたってほぼ均一にメダルを払い出すことが可能となる。
【００１０】
（５）  本発明の遊技機は、前記メダル払い出し機構に対してメダルを送出するホッパをさらに備えていてもよい。
【００１１】
（６）  そして、前記前面パネルは、前記メダル受皿の付近に形成されたメダル払い出し用開口部を備え、前記メダル払い出し口は前記メダル払い出し用開口部を介してメダルを払い出し、前記前面パネルは、前記メダル払い出し口が位置している部分以外の前記メダル払い出し用開口部を遮蔽する遮蔽部をさらに備えていてもよい。このように、メダル払い出し口が位置している部分以外のメダル払い出し用開口部が遮蔽部によって遮蔽されるように構成することによって、メダル払い出し口が位置している部分以外のメダル払い出し用開口部から異物を侵入させることが遮蔽部によって妨げられ、不正が行われることを防ぐことができる。
【００１２】
【発明の実施の形態】
以下、本発明の好適な実施の形態について、図面を参照しながら、さらに具体的に説明する。
【００１３】
１．  ＜第１実施形態＞
【００１４】
図１は、本実施形態の遊技機としてのスロットマシン１０を示す模式的な正面図である。また、図２は、前面パネル２０を取り除いた状態としてスロットマシン１０を示す模式的な正面図である。図３は、側面パネルを取り除いた状態としてスロットマシン１０を示す模式的な側面図である。
【００１５】
本実施形態のスロットマシン１０は、メダルを用いて遊技を行う遊技機である。これらの図に示すように、スロットマシン１０は、筐体１２、回転リール８０、前面パネル２０、ホッパ４０、およびメダル払い出し機構５０を含んで構成される。また、筐体１２内には、主要電子回路が搭載されたメイン基板１４、およびその他の電子回路が形成されたサブ基板１６も備えている。
【００１６】
前面パネル２０は、筐体１２の前面に位置し、メダル投入口２４、メダル受皿２８、メダル払い出し用開口部３２、および遮蔽部３６を備えている。メダル払い出し用開口部３２は、メダル払い出し用開口部３２から流れ出たメダルがメダル受皿２８に入るようにメダル受皿２８の付近に形成されている。
【００１７】
メダル投入口２４は、前述したように前面パネル２０に形成され、遊技を行うためのメダルが投入される。
【００１８】
メダル受皿２８は、前面パネル２０に所定幅にわたって形成されている。メダル受皿２８には払い出されたメダルが貯留される。
【００１９】
メダル払い出し機構５０は、メダル受皿２８のほぼ全幅にわたってほぼ均一にメダルを払い出すことができるように形成されている。具体的には、メダル払い出し機構５０は、メダル払い出し管路５４と、駆動部６０とを含んで構成される。
【００２０】
駆動部６０は、例えば、ガイドレール６２と、ガイドレール６２に形成されたラック６３に係合するピニオン６５を備える移動部材６４とを含んで構成される。ピニオン６５は図示しないモータによって駆動される。
【００２１】
また、メダル払い出し管路５４は、メダルを払い出すメダル払い出し口５６を一端に備え、例えば蛇腹状の構造によって伸縮自在に形成されている。メダル払い出し管路５４の伸縮は前述した駆動部６０によって駆動される。メダル払い出し口５６はメダル払い出し用開口部３２を介してメダルを払い出す。このような構成によって、伸縮自在に形成されたメダル払い出し管路５４の一端に位置するメダル払い出し口５６をメダル受皿２８のほぼ全幅にわたる範囲に移動させることができる。その結果、メダル受皿２８のほぼ全幅にわたってほぼ均一にメダルを払い出すことができる。
【００２２】
なお、メダル払い出し管路５４はメダル払い出し口５６に向けて下方に傾斜している。このように、メダル払い出し管路５４がメダル払い出し口５６に向けて下方に傾斜していることによって、メダル払い出し管路５４内のメダルを動力によることなく重力によって移動させてメダル払い出し口５６に移動させることが可能となる。
【００２３】
遮蔽部３６は、メダル払い出し口５６が位置している部分以外のメダル払い出し用開口部３２を塞ぐように形成されている。遮蔽部３６はメダル払い出し口５６の移動に連動して伸縮するように形成されている。このように、メダル払い出し口５６が位置している部分以外のメダル払い出し用開口部３２が遮蔽部３６によって遮蔽されるように構成することによって、メダル払い出し口５６が位置している部分以外のメダル払い出し用開口部３２から異物を侵入させることが遮蔽部３６によって妨げられる。それによって、不正が行われることを防ぐことができる。
【００２４】
ホッパ４０は、管路４２を介してメダル払い出し機構５０にメダルを送出する。
【００２５】
本実施形態のスロットマシン１０においては、メダル払い出し機構５０の動作により、メダル受皿２８のほぼ全幅にわたってほぼ均一にメダルを払い出すことが可能となる。したがって、メダル受皿２８上のメダルを手で移動させることなく、メダルをメダル受皿２８上にほぼ均一に蓄えることができる。
【００２６】
２．  ＜変形例＞
【００２７】
２．１  前述した実施形態では遊技機の下部に位置するメダル受皿において、メダル受皿の全幅にわたってほぼ均一にメダルを払い出すことができるメダル払い出し機構を備えた遊技機を示した。しかしながら、高さ方向の中ほどにもメダル受皿を備える遊技機においては、そのようなメダル受皿の全幅にわたってほぼ均一にメダルを払い出すことができるメダル払い出し機構を備えるようにしてもよい。
【００２８】
２．２  前述した実施形態では、メダル払い出し管路５４が蛇腹状の構造を持つことによって伸縮自在に形成された例を示した。しかしながら、メダル払い出し管路は伸縮自在に形成されていさえすればよく、例えば、図４に示したように三脚の脚のような構造によって伸縮自在となっているメダル払い出し管路９０であってもよい
【００２９】
２．３  本発明は前述した各実施形態に限定されるものではなく、本発明の要旨の範囲内、または、特許請求の範囲の均等範囲内で、各種の変形実施が可能である。
【図面の簡単な説明】
【図１】実施形態の遊技機としてのスロットマシンを示す模式的な正面図である。
【図２】前面パネルを取り除いた状態としてスロットマシンを示す模式的な正面図である。
【図３】側面パネルを取り除いた状態としてスロットマシンを示す模式的な側面図である。
【図４】メダル払い出し管路の変形例を示す模式図である。
【符号の説明】
１０  スロットマシン（遊技機）
１２  筐体
２０  前面パネル
２４  メダル投入口
２８  メダル受皿
３２  メダル払い出し用開口部
３６  遮蔽部
５０  メダル払い出し機構
５４  メダル払い出し管路
５６  メダル払い出し口
６０  駆動部
【図１】
2004167065.tif 000003
【図２】
2004167065.tif 000004
【図３】
2004167065.tif 000005
【図４】
2004167065.tif 000006